【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
第１のキャリアにおいて通信するための第１のサブフレーム持続時間を有する第１のサブフレーム構造を決定することと、
第２のキャリアにおいて通信するための第２のサブフレーム持続時間を有する第２のサブフレーム構造を決定することと、前記第２のサブフレーム持続時間は、前記第１のサブフレーム持続時間の１／２である、
前記第２のサブフレーム構造の少なくとも１対の隣接リソースブロック（ＲＢ）を使用してリソースを割り振ることと、前記第２のサブフレーム構造の前記隣接ＲＢが、前記第１のサブフレーム構造の単一のＲＢに等しい、
少なくとも前記第２のサブフレーム持続時間を有する前記第２のサブフレーム構造を使用して少なくとも１つのノードと通信することと
を備える、ワイヤレス通信のための方法。
【請求項２】
前記第１のキャリアが認可無線周波数スペクトル帯域内であり、前記第２のキャリアが無認可無線周波数スペクトル帯域内である、請求項１に記載の方法。
【請求項３】
前記第１のサブフレーム持続時間を使用して前記第１のキャリア内の第１のチャネルを送信することと、
前記第２のサブフレーム持続時間を使用して前記第２のキャリア内の第２のチャネルを送信することと
をさらに備える、請求項１に記載の方法。
【請求項４】
前記第１のサブフレーム持続時間を使用して前記第１のキャリア内の第１のチャネルを受信することと、
前記第２のサブフレーム持続時間を使用して前記第２のキャリア内の第２のチャネルを受信することと
をさらに備える、請求項１に記載の方法。
【請求項５】
前記第２のサブフレーム持続時間を使用して、少なくとも１つのユーザ機器に、前記第２のキャリア内のチャネルを送信することをさらに備え、前記第２のサブフレーム持続時間が前記第１のサブフレーム持続時間よりも小さい、請求項１に記載の方法。
【請求項６】
前記第２のサブフレーム構造の２つ以上のリソースブロック（ＲＢ）に基づいて、前記少なくとも１つのユーザ機器に、前記チャネルの、ダウンリンクリソース、ダウンリンク復調基準信号（ＤＬ  ＤＭ−ＲＳ）、またはチャネル状態情報基準信号（ＣＳＩ−ＲＳ）のうちの少なくとも１つを割り当てることをさらに備える、請求項５に記載の方法。
【請求項７】
前記第１のサブフレーム構造に対して、前記第２のサブフレーム構造についてのトランスポートブロックサイズ（ＴＢＳ）の決定、またはチャネル状態情報（ＣＳＩ）フィードバック用のサブバンドサイズのうちの少なくとも１つを調整することをさらに備える、請求項１に記載の方法。
【請求項８】
前記第１のサブフレーム構造に基づくサブフレームから前記第２のサブフレーム構造に基づくサブフレームに、コンポーネントキャリア（ＣＣ）をクロススケジュールするために制御チャネルを使用することをさらに備える、請求項１に記載の方法。
【請求項９】
クロスサブフレームスケジューリングまたはマルチサブフレームスケジューリングのうちの少なくとも１つを使用して、前記第２のサブフレーム構造を有するサブフレームのコンポーネントキャリア（ＣＣ）のスケジューリングを実行することをさらに備える、請求項１に記載の方法。
【請求項１０】
アップリンクサブフレームを介して、１つまたは複数のダウンリンクサブフレームに対する肯定応答／否定応答（ＡＣＫ／ＮＡＣＫ）フィードバックを受信することをさらに備え、前記１つまたは複数のダウンリンクサブフレームが前記第２のサブフレーム構造に基づく、請求項１に記載の方法。
【請求項１１】
ＡＣＫ／ＮＡＣＫフィードバックのために、前記第２のサブフレーム構造に基づく２つ以上のダウンリンクサブフレームが、前記第１のサブフレーム構造に基づく単一のアップリンクサブフレームにマッピングされる、請求項１０に記載の方法。
【請求項１２】
前記第１のサブフレーム構造の単一のサブフレームを使用して、前記第２のサブフレーム構造の複数のサブフレームをスケジュールすることをさらに備える、請求項１に記載の方法。
【請求項１３】
送信されるべきチャネルのタイプを識別することと、
前記第１のサブフレーム持続時間または前記第２のサブフレーム持続時間のいずれかを使用して、アップリンクサブフレームにおいて前記チャネルのタイプを送信することと
をさらに備え、前記サブフレーム持続時間が前記識別されたチャネルタイプに少なくとも部分的に基づく、請求項１に記載の方法。
【請求項１４】
少なくとも１つのダウンリンクチャネルまたは少なくとも１つのアップリンクチャネルが、前記第１のサブフレーム持続時間を有する前記第１のサブフレーム構造に基づくか、または前記第２のサブフレーム持続時間を有する前記第２のサブフレーム構造に基づくかの少なくとも１つの指示を受信することをさらに備える、請求項１に記載の方法。
【請求項１５】
ダウンリンク制御チャネルのサブフレーム持続時間を検出することと、
前記ダウンリンク制御チャネルの前記サブフレーム持続時間に少なくとも部分的に基づいて、ダウンリンク共有チャネルのサブフレーム持続時間を決定することと
をさらに備える、請求項１に記載の方法。
【請求項１６】
前記少なくとも１つのノードが、ユーザ機器（ＵＥ）または発展型ノードＢ（ｅＮＢ）を備える、請求項１に記載の方法。
【請求項１７】
前記第１のキャリアおよび前記第２のキャリアが、キャリアアグリゲーション動作の一部である、請求項１に記載の方法。
【請求項１８】
前記第１のキャリアおよび前記第２のキャリアが、二重接続動作の一部である、請求項１に記載の方法。
【請求項１９】
第１のキャリアにおいて通信するための第１のサブフレーム持続時間を有する第１のサブフレーム構造を決定するための手段と、
第２のキャリアにおいて通信するための第２のサブフレーム持続時間を有する第２のサブフレーム構造を決定するための手段と、前記第２のサブフレーム持続時間は、前記第１のサブフレーム持続時間の１／２である、
前記第２のサブフレーム構造の少なくとも１対の隣接リソースブロック（ＲＢ）を使用してリソースを割り振るための手段と、前記第２のサブフレーム構造の前記隣接ＲＢが、前記第１のサブフレーム構造の単一のＲＢに等しい、
少なくとも前記第２のサブフレーム持続時間を有する前記第２のサブフレーム構造を使用して少なくとも１つのノードと通信するための手段と
を備える、ワイヤレス通信のための装置。
【請求項２０】
前記第１のキャリアが認可無線周波数スペクトル帯域内であり、前記第２のキャリアが無認可無線周波数スペクトル帯域内である、請求項１９に記載の装置。
【請求項２１】
前記第２のサブフレーム持続時間を使用して、少なくとも１つのユーザ機器に、前記第２のキャリア内のチャネルを送信するための手段をさらに備え、前記第２のサブフレーム持続時間が前記第１のサブフレーム持続時間よりも小さい、請求項１９に記載の装置。
【請求項２２】
プロセッサと、
前記プロセッサと電子通信しているメモリと、
前記メモリに記憶された命令と
を備え、前記命令が、
第１のキャリアにおいて通信するための第１のサブフレーム持続時間を有する第１のサブフレーム構造を決定することと、
第２のキャリアにおいて通信するための第２のサブフレーム持続時間を有する第２のサブフレーム構造を決定することと、前記第２のサブフレーム持続時間は、前記第１のサブフレーム持続時間の１／２である、
前記第２のサブフレーム構造の少なくとも１対の隣接リソースブロック（ＲＢ）を使用してリソースを割り振ることと、前記第２のサブフレーム構造の前記隣接ＲＢが、前記第１のサブフレーム構造の単一のＲＢに等しい、
少なくとも前記第２のサブフレーム持続時間を有する前記第２のサブフレーム構造を使用して少なくとも１つのノードと通信することと
を行うように、前記プロセッサによって実行可能である、ワイヤレス通信のための装置。
【請求項２３】
前記第１のキャリアが認可無線周波数スペクトル帯域内であり、前記第２のキャリアが無認可無線周波数スペクトル帯域内である、請求項２２に記載の装置。
【請求項２４】
前記命令が、
前記第１のサブフレーム持続時間を使用して前記第１のキャリア内の第１のチャネルを送信することと、
前記第２のサブフレーム持続時間を使用して前記第２のキャリア内の第２のチャネルを送信することと
を行うように、前記プロセッサによって実行可能である、請求項２２に記載の装置。
【請求項２５】
前記命令が、
前記第１のサブフレーム持続時間を使用して前記第１のキャリア内の第１のチャネルを受信することと、
前記第２のサブフレーム持続時間を使用して前記第２のキャリア内の第２のチャネルを受信することと
を行うように、前記プロセッサによって実行可能である、請求項２２に記載の装置。
【請求項２６】
前記命令が、
前記第２のサブフレーム持続時間を使用して、少なくとも１つのユーザ機器に、前記第２のキャリア内のチャネルを送信することを行うように、前記プロセッサによって実行可能であり、前記第２のサブフレーム持続時間が前記第１のサブフレーム持続時間よりも小さい、請求項２２に記載の装置。
【請求項２７】
前記命令が、
前記第２のサブフレーム構造の２つ以上のリソースブロック（ＲＢ）に基づいて、前記少なくとも１つのユーザ機器に、前記チャネルの、ダウンリンクリソース、ダウンリンク復調基準信号（ＤＬ  ＤＭ−ＲＳ）、またはチャネル状態情報基準信号（ＣＳＩ−ＲＳ）のうちの少なくとも１つを割り当てることを行うように、前記プロセッサによって実行可能である、請求項２６に記載の装置。
【請求項２８】
ワイヤレス通信のためのコンピュータ実行可能コードを記憶する非一時的コンピュータ可読媒体であって、前記コードが、
第１のキャリアにおいて通信するための第１のサブフレーム持続時間を有する第１のサブフレーム構造を決定することと、
第２のキャリアにおいて通信するための第２のサブフレーム持続時間を有する第２のサブフレーム構造を決定することと、前記第２のサブフレーム持続時間は、前記第１のサブフレーム持続時間の１／２である、
前記第２のサブフレーム構造の少なくとも１対の隣接リソースブロック（ＲＢ）を使用してリソースを割り振ることと、前記第２のサブフレーム構造の前記隣接ＲＢが、前記第１のサブフレーム構造の単一のＲＢに等しい、
少なくとも前記第２のサブフレーム持続時間を有する前記第２のサブフレーム構造を使用して少なくとも１つのノードと通信することと
を行うように、プロセッサによって実行可能である、非一時的コンピュータ可読媒体。